(57)【特許請求の範囲】
【請求項１】
板状に形成されたライティング構造体を備える鍵盤楽器であって、
前記ライティング構造体は、
ミラーと、
前記ミラーから所定間隔を空けて、前記ミラーに対向して設置され、当該ライティング構造体を取り付ける取付対象物の色に合わせた色に化粧されたハーフミラーと、
前記ミラーと前記ハーフミラーとの間に形成される空間内で並べて設置された複数の光源部と、
前記空間のうち前記光源部が結ぶラインを境界とする一方側の前記空間に、前記ミラーと前記ハーフミラーとに挟まれて設置され、前記光源部が固定される取付板部と、
を備え、
前記空間のうち他方の空間である反射空間を形成する前記ミラーが前記ハーフミラー側に向かって湾曲しており、
前記ライティング構造体は、
鍵盤の上方であって、演奏者に対向する位置に設置され、
鍵盤蓋を開けたときに、演奏者からみて隠れる位置に前記光源部が設置された構造を有することを特徴とする鍵盤楽器。
【請求項２】
請求項１に記載の鍵盤楽器において、
前記ライティング構造体は、
前記ハーフミラーの側とは反対側に前記ミラーに重ねて設置された補強板部と、
前記ミラーを湾曲させるため、前記補強板部と前記ミラーとの間に設置されたスペーサ部とを備えることを特徴とする鍵盤楽器。
【請求項３】
請求項１又は請求項２に記載の鍵盤楽器において、
前記ハーフミラーには、前記取付対象物の色に合わせた色に着色されたシートが積層されることによって化粧されていることを特徴とする鍵盤楽器。
【請求項４】
請求項１〜３のいずれか１項に記載の鍵盤楽器において、
前記ミラーは、アルミ製のミラーであり、
前記ハーフミラーは、アクリル製のハーフミラーであることを特徴とする鍵盤楽器。
【請求項５】
請求項１〜４のいずれか１項に記載の鍵盤楽器において、
前記取付板部は、両面テープを用いて前記ハーフミラーに固定されていることを特徴とする鍵盤楽器。
【請求項６】
請求項１〜５のいずれか１項に記載の鍵盤楽器であって、
前記鍵盤が操作されて演奏される音楽に合わせて、前記光源部を点滅させる点滅制御部を備えることを特徴とする鍵盤楽器。
【発明の詳細な説明】
【技術分野】
【０００１】
本発明は、ライティング構造体、及び、ライティング構造体を備える鍵盤楽器に関する。
【背景技術】
【０００２】
ピアノの化粧板は黒艶が主流であり、電子ピアノでは塩化ビニルの化粧板が使用されることが多い。
【発明の概要】
【発明が解決しようとする課題】
【０００３】
しかし、これらは外観上の見た目の違いを際だたせることが難しかった。
本発明は、化粧板に代えて鍵盤楽器に用いられると、他の鍵盤楽器との外見上の見た目の違いを際だたせることができるライティング構造体、及び、このライティング構造体を用いた鍵盤楽器を提供することを目的とする。
【課題を解決するための手段】
【０００４】
請求項１に記載の発明に係るライティング構造体は、板状に形成されたライティング構造体であって、ミラーと、前記ミラーから所定間隔を空けて、前記ミラーに対向して設置され、当該ライティング構造体を取り付ける取付対象物の色に合わせた色に化粧されたハーフミラーと、前記ミラーと前記ハーフミラーとの間に形成される空間内で並べて設置された複数の光源部と、前記空間のうち前記光源部が結ぶラインを境界とする一方側の前記空間に、前記ミラーと前記ハーフミラーとに挟まれて設置され、前記光源部が固定される取付板部と、を備え、前記空間のうち他方の空間である反射空間を形成する前記ミラーが前記ハーフミラー側に向かって湾曲していることを特徴とする。
【０００５】
これによると、光源部を点灯させると、光源部から出た光が、ミラーとハーフミラーとの間を繰り返し反射しながら反射空間内を進む。このとき、光源部に近い位置では、ハーフミラーから反射空間の外に強い光が出るが、光源部から遠くなるほど外に出る光の強さは弱くなる。すると、各光源部から遠くなるほど光の強さが次第に弱くなる光点の列がハーフミラー上に表れ、この光点の列をハーフミラー側から見た人には、ハーフミラー側からミラー側の奥行き方向に向かって光点が並ぶように見える。したがって、このライティング構造体を用いると、奥行きがあるライティングを行う事ができるため、化粧板に代えて鍵盤楽器に用いられると、他の鍵盤楽器との外見上の見た目の違いを際だたせることができる。
【０００６】
しかも、本発明のライティング構造体は、ミラーがハーフミラー側に湾曲しているので、単に光点が奥行き方向に並んでいるのではなく、光源部が反射空間側に光を出射する方向側に立ったように並ぶため、立体感のあるライティングを行うことができる。
【０００７】
さらに、ミラーとハーフミラーを単に平行に並べただけだと、光源部の近傍で光量の多い光点が多く出現するため、光源部の近傍を隠した場合、多くの光点を見ることができなくなるが、本発明のライティング構造体は、ミラーが湾曲し、光量の多い光点を光源部から遠い位置に出現させることができるので、光源部を隠しても、奥行きがあるライティングを行う事ができる。
【０００８】
ライティング構造体は、ハーフミラーの側とは反対側にミラーに重ねて設置された補強板部と、ミラーを湾曲させるため、補強板とミラーとの間に設置されたスペーサ部とを備えてもよい。ミラー自体が湾曲していてもよいが、このように、スペーサを用いてミラーを曲げてもよい。
【０００９】
ハーフミラーには、取付対象物（例えば鍵盤楽器）の色に合わせた色に着色されたシートが積層されることによって化粧されていてもよい。このようにすれば、光源部が点灯していないとき、ライティング構造体は、取付対象物に対し見た目上の違和感を感じさせないように取り付けることができる。
【００１０】
ミラーは、アルミ製のミラーであり、ハーフミラーは、アクリル製のハーフミラーであってもよいがこれらに限られるものではない。
取付板部は、両面テープを用いてハーフミラーに固定してもよい。ハーフミラーとして利用できる材料の厚みと硬度を考慮した場合、反りを押さえるためは両面テープが適していた。また、接着剤を用いると化学的変化がハーフミラーに影響を与え、しわ、変色等を発生させてしまう可能性があるので、両面テープが好ましい。
【００１１】
上述したライティング構造体を備える鍵盤楽器の場合、ライティング構造体は、鍵盤の上方であって、演奏者に対向する位置に設置され、鍵盤蓋を開けたときに、演奏者からみて隠れる位置に光源部が設置された構造を有していてもよい。ライティング構造体は、鍵盤楽器に設置した場合、非点灯時に光源部が見えてしまうと意匠上好ましくないが、少なくとも演奏時は、光源部が鍵盤蓋に隠れるので、このような意匠上好ましくない状態が発生することを抑制できる。
【００１２】
上述したライティング構造体を鍵盤楽器に取り付けた場合、鍵盤が操作されて演奏される音楽に合わせて、光源部を点滅させる点滅制御部を備えてもよい。
【図面の簡単な説明】
【００１３】
【図１】実施形態の鍵盤楽器システム１の全体構成である。
【図２】鍵盤楽器システムを構成する（ａ）鍵盤楽器の正面図、（ｂ）（ａ）のＢ−Ｂ’断面図、（ｃ）（ｂ）の符号Ｃが示す円の拡大図である。
【図３】鍵盤楽器の正面斜視図であって、ハーフミラーを取り外した状態の図である。
【図４】鍵盤蓋を開けた鍵盤楽器の正面図であって、ＬＥＤが位置する部分を透過図で示している。
【図５】鍵盤楽器の内部構成を示すブロック図である。
【図６】ＬＥＤ反射空間内での反射の様子を示す模式図である。
【図７】鍵盤楽器のライティング構造体が点灯している様子を示す説明図である。
【発明を実施するための形態】
【００１４】
以下に本発明の例示的な実施形態について図面を参照しながら説明する。
図１に示すように、本実施形態の鍵盤楽器システム１は、鍵盤楽器３と、４つのスピーカ５とを備えている。尚、符号９は、演奏者である。
【００１５】
このうちまず、鍵盤楽器３について説明する。
鍵盤楽器３は電子ピアノである。この鍵盤楽器３は、自身も音声出力が可能だが、必要に応じて、各スピーカ５からも演奏中の楽音を出力することができる。
【００１６】
鍵盤楽器３について説明する。
鍵盤楽器３は、図２（ａ）及び図２（ｂ）に示すように、鍵盤７の上方に位置し、演奏者に対向する位置であって、一般的には、化粧板が設置される部分に、ライティング構造体３０が設置される。
【００１７】
ライティング構造体３０は、図２（ｃ）に示すように、全体的には板形状に形成されており、一般的に化粧板が設置される部分に設置される。そのため、演奏者側から見たライティング構造体３０の大きさは、一般的に設置される化粧板とほぼ同じ大きさである。
【００１８】
ライティング構造体３０は、演奏者側にアクリル製のハーフミラー３１を備え、非演奏者側にミラー３２を備えている。これらハーフミラー３１及びミラー３２は、所定距離空けて配置されている。また、ミラー３２のさらに非演奏者側には補強板３２ａが設置されており、ミラー３２及び補強板３２ａは重ねて配置されている。
【００１９】
また、補強板３２ａの最上部のミラー３２側の角部３２ｂには、断面形状が、ミラー３２の角部３２ｂに沿った形状のスペーサ３６が取り付けられている。このスペーサ３６のため、ミラー３２は、後述する取付板３４が設置された部分から先がハーフミラー３１側に向かって湾曲している。
【００２０】
また、ハーフミラー３１の演奏者側には、鍵盤楽器３の他の外装色に合う色（本実施形態では黒色系の色）のシート３１ａが積層されている。
ライティング構造体３０は、図３に示すように、ハーフミラー３１及びミラー３２の間に複数のＬＥＤ３３が配置されている（図３では、一部のＬＥＤ３３に付いてのみ符号を振っているが、取付板３４の上辺３４ａ上に四角形状で表されたものは、すべてＬＥＤ３３である）。これらＬＥＤ３３は、鍵の並び方向に沿って蛇行した状態で配置される。
【００２１】
ライティング構造体３０は、図２に示すように、ハーフミラー３１及びミラー３２の間であってＬＥＤ３３の下方に取付板３４が設置されている。この取付板３４は、ハーフミラー３１及びミラー３２が配置される厚みで形成され、その上辺３４ａ（図３参照）が、鍵の並び方向に沿って蛇行した形状に形成されている。ＬＥＤ３３は、この取付板３４の上辺３４ａに設置されることによって、鍵の並び方向に沿って蛇行した状態に配置される。
【００２２】
取付板３４は、ハーフミラー３１及びミラー３２に対向するそれぞれの面に添付された両面テープ３４ｂによって、ハーフミラー３１及びミラー３２に貼り付けられて固定される。
【００２３】
そして、取付板３４は、図４に示すように、鍵盤蓋８を立てたときに、演奏者側から見て取付板３４の上辺３４ａ上に設置されたすべてのＬＥＤ３３が隠れる大きさに形成されている。
【００２４】
また、取付板３４をハーフミラー３１及びミラー３２の間に挟むことによって、取付板３４の上辺３４ａ（図３参照）の上方側のハーフミラー３１及びミラー３２の間に反射空間３５が形成される。
【００２５】
次に、鍵盤楽器３の内部構成について説明する。
本実施形態の鍵盤楽器３は、図５に示すように、内部にコンピュータ装置４０を備えている。また、このコンピュータ装置４０は、鍵盤７が操作され、その操作信号を鍵盤７から受信すると、操作された鍵の楽音をスピーカ４２から出力する。
【００２６】
また、このコンピュータ装置４０は、演奏のため鍵盤楽器３の鍵盤７が操作されると、演奏される楽音に従って各ＬＥＤ３３を点滅させる。
次に、スピーカ５について説明する。
【００２７】
各スピーカ５は、サラウンド出力用のスピーカである。各スピーカ５は、鍵盤楽器３が備えるライティング構造体３０と同様の構成を備えているが、詳細については説明を省略する。各スピーカ５は、鍵盤楽器３のコンピュータ装置４０と通信可能に接続されており、コンピュータ装置４０からの指示に従ってサラウンドスピーカ用の楽音が出力されるとともに、各スピーカ５のライティング構造体３０が備える各ＬＥＤがコンピュータ装置４０からの指示に従い楽音にあわせて点滅する。
【００２８】
以上説明した鍵盤楽器３は、以下のような特徴的な作用効果を奏する。
鍵盤楽器３が備えるライティング構造体３０では、ＬＥＤ３３を点灯させると、図６に示すように、ＬＥＤ３３から出た光γが、ミラー３２とハーフミラー３１との間を繰り返し反射しながら反射空間３５内を進む。このとき、ＬＥＤ３３に近い位置では、ハーフミラー３１から反射空間３５の外に強い光が出るが、ＬＥＤ３３から遠くなるほど外に出る光の強さは弱くなる。すると、各ＬＥＤ３３から遠くなるほど光の強さが次第に弱くなる光点の列がハーフミラー３１上に表れ、この光点の列をハーフミラー３１側から見た人には、ハーフミラー３１側からミラー３２側の奥行き方向に向かって光点が並ぶように見える。したがって、このライティング構造体３０を用いると、奥行きがあるライティングを行う事ができるため、本実施形態のように化粧板に代えて鍵盤楽器３に用いられると、他の鍵盤楽器との外見上の見た目の違いを際だたせることができる。
【００２９】
しかも、本実施形態のライティング構造体３０は、スペーサ３６によってミラー３２がハーフミラー３１側に曲げられて湾曲していて、単に光点が奥行き方向に並んでいるのではなく、ＬＥＤ３３が反射空間３５側に光を出射する方向側に立ったように並ぶため、立体感のあるライティングを行うことができる。
【００３０】
さらに、本実施形態の鍵盤楽器３は、鍵盤蓋８を立てると演奏者側から見て取付板３４が隠れるため（図４参照）、ミラー３２とハーフミラー３１を単に平行に並べただけだと、ＬＥＤ３３の近傍で光量の多い光点が多く出現するため、多くの光点を見ることができなくなる。しかし、本実施形態のライティング構造体３０は、ミラー３２が湾曲し、光量の多い光点をＬＥＤ３３から遠い位置に出現させることができるので、鍵盤楽器３の鍵盤蓋８を立てても、奥行きがあるライティングを行う事ができる。
【００３１】
次に、ハーフミラー３１には、鍵盤楽器３の色に合わせた色に着色されたシート３１ａが積層されて化粧されている。このようにすれば、ライティング構造体３０は、ＬＥＤ３３が点灯していないときでも、見た目上の違和感を感じさせないように鍵盤楽器３に取り付けることができる。
【００３２】
本実施形態の鍵盤楽器３では、取付板３４を、両面テープ３４ｂを用いてハーフミラー３１に固定している。ハーフミラー３１として利用できる材料の厚みと硬度を考慮した場合、反りを押さえるためは両面テープ３４ｂが適していた。また、接着剤は、化学的変化によってハーフミラー３１に影響を与え、しわ、変色等を発生させてしまう可能性があるが、両面テープ３４ｂは、ハーフミラー３１に影響を与えることなく取付板３４を貼り付けることができる。
【００３３】
本実施形態の鍵盤楽器３は、ライティング構造体３０が、鍵盤７の上方であって、演奏者に対向する位置に設置され、鍵盤蓋８を開けたときに、演奏者からみて隠れる位置にＬＥＤ３３が設置された構造を有している。ライティング構造体３０は、鍵盤楽器３に設置した場合、非点灯時にＬＥＤ３３が見えてしまうと意匠上好ましくないが、少なくとも演奏時は、ＬＥＤ３３が鍵盤蓋に隠れるので、このような意匠上好ましくない状態が発生することを抑制できる。
【００３４】
尚、本発明の光源部は、本実施形態のＬＥＤ３３に相当する。
本発明の取付板部は、本実施形態の取付板３４に相当する。
本発明の補強板部は、本実施形態の補強板３２ａに相当する。
【００３５】
本発明のスペーサ部は、本実施形態のスペーサ３６に相当する。
［他の実施形態］
以上、実施形態について説明したが、特許請求の範囲に記載された発明は、上記実施形態に限定されることなく、種々の形態を採り得ることは言うまでもない。
【００３６】
（１）上記実施形態では、スペーサを用いてミラー３２を湾曲させているが、これらミラー３２及びスペーサに代えて、湾曲したミラーを設置してもよい。
（２）上記実施形態では、ＬＥＤ３３を用いているが、光源はＬＥＤ３３に限る物ではない。
【００３７】
（３）上記実施形態では、ハーフミラー３１に鍵盤楽器３の色に合わせたフィルムを積層しているが、ハーフミラー３１を鍵盤楽器３にあわせた色に着色してもよい。
（４）上記実施形態では、アクリル製のハーフミラー３１、及びアルミ製のミラー３２を用いたが、例えばガラス製のハーフミラー３１を用いるなど、ハーフミラー３１及び３２はどのような材料を用いて形成してもよい。
【００３８】
（５）上記実施形態では、鍵盤楽器３として電子ピアノを用いた例を例示したが、鍵盤楽器３は、アップライトピアノ等であって、スピーカからの音声出力が可能な鍵盤楽器でもよい。
【００３９】
（６）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００４０】
１…鍵盤楽器システム、３…鍵盤楽器、５…スピーカ、７…鍵盤、８…鍵盤蓋、
３０…ライティング構造体、３１…ハーフミラー、３１ａ…シート、３２…ミラー、
３２ａ…補強板、３２ｂ…角部、３３…ＬＥＤ、３４…取付板、３４ａ…上辺、３４ｂ…両面テープ、３５…反射空間、３６…スペーサ、４０…コンピュータ装置、
４２…スピーカ。
【図１】
0006756513.tif 000002
【図２】
0006756513.tif 000003
【図３】
0006756513.tif 000004
【図４】
0006756513.tif 000005
【図５】
0006756513.tif 000006
【図６】
0006756513.tif 000007
【図７】
0006756513.tif 000008